(57)【要約】【課題】１枚の情報表示用パネルを１枚の紙の表裏のように利用することができ、書き換えた情報が表示されるまで待つ動作をなくすことができ、さらに、表示情報の多様化に対応することのできる両面表示式情報表示装置を提供する。【解決手段】両面表示可能な情報表示用パネルを用いた両面表示式情報表示装置であって、両面表示可能な情報表示用パネル２の周囲の少なくとも一部に回転軸５を有する筐体３とともに一体とし、この回転軸５を枠体６に回転自在に装着して構成され、情報書き換えスイッチ７、８によって情報表示用パネルの裏側表示面に書き換えた情報を表示させ、情報表示用パネルを、回転させて裏返すことによって書き換え表示した情報を見るように構成する。【選択図】図１
2008292839.tif 000002
【特許請求の範囲】
【請求項１】
両面表示可能な情報表示用パネルを用いた両面表示式情報表示装置であって、両面表示可能な情報表示用パネルの周囲の少なくとも一部に回転軸を有する筐体とともに一体とし、この回転軸を枠体に回転自在に装着して構成され、情報書き換えスイッチをＯＮとすることによって情報表示用パネルの裏側表示面に書き換えた情報を表示させ、情報表示用パネルを、回転させて裏返すことによって書き換え表示した情報を見るようにしたことを特徴とする両面表示式情報表示装置。
【請求項２】
情報書き換えスイッチを、書き換えスイッチ（送り）と書き換えスイッチ（戻り）とから構成し、（１）書き換えスイッチ（送り）をＯＮにして、次情報を情報表示用パネルの裏側表示面に書き換え表示させ、情報表示用パネルを裏返すことで書き換えた次情報を見るようにし、（２）書き換えスイッチ（戻り）をＯＮにして、前情報を情報表示用パネルの裏側表示面に書き換え表示させ、情報表示用パネルを裏返すことで書き換えた前情報を見るようにしたことを特徴とする請求項１に記載の両面表示式情報表示装置。
【請求項３】
両面表示可能な情報表示用パネルを用いた両面表示式情報表示装置であって、両面表示可能な情報表示用パネルの周囲の少なくとも一部に回転軸を有する筐体とともに一体とし、この回転軸を枠体に回転自在に装着して構成され、情報表示用パネルを、回転させることによって情報書き換えスイッチがＯＮとなり情報表示用パネルの裏側表示面に書き換えた情報を表示させ、情報表示用パネルが裏返しになった状態で書き換え動作が終了し、書き換え表示された情報を見られるようにしたことを特徴とする両面表示式情報表示装置。
【請求項４】
情報書き換えスイッチを、書き換えスイッチ（送り）と書き換えスイッチ（戻り）と書き換えモード判断手段とから構成し、（１）両面表示可能な情報表示用パネルを一定方向に回すと、書き換えスイッチ（送り）と書き換えスイッチ（戻り）とが協働することで送り書き換えモードがＯＮとなり、次情報を情報表示用パネルの裏側表示面に書き換え表示させ、情報表示用パネルを裏返し終わった状態で書き換えた次情報を見られるようにし、（２）両面表示可能な情報表示用パネルを前記一定方向とは逆の方向に回すと、書き換えスイッチ（戻り）と書き換えスイッチ（送り）とが協働することで戻り書き換えモードがＯＮとなり、前情報を情報表示用パネルの裏側表示面に書き換え表示させ、情報表示用パネルを裏返し終わった状態で書き換えた前情報を見られるようにしたことを特徴とする請求項３に記載の両面表示式情報表示装置。
【請求項５】
両面表示可能な情報表示用パネルを指で回転させると情報書き換えスイッチが作動して情報表示用パネルの裏側表示面に別の情報を書き換え表示し、指を離すと元の表側表示面に回転して戻り、その戻る過程で情報書き換えスイッチが作動して元の情報に書き換え表示するよう構成したことを特徴とする請求項３または４に記載の両面表示式情報表示装置。
【請求項６】
前記両面表示式情報表示装置の枠体部に、両面表示可能な情報表示用パネルの回転ストッパーを設け、この回転ストッパーにより両面表示可能な情報表示用パネルの回転を規制するよう構成したことを特徴とする請求項５に記載の両面表示式情報表示装置。
【請求項７】
両面表示可能な情報表示用パネルを、少なくとも１種類以上の粒子からなり電界駆動可能な表示媒体を２枚の透明基板間に封入し、基板に設けた透明対電極から電界を付与することで表示媒体を移動させて画像等の情報表示を書き換えするドットマトリックス表示方式の表示部パネル１枚で構成したことを特徴とする請求項１〜６のいずれか１項に記載の両面表示式情報表示装置。
【請求項８】
両面表示可能な情報表示用パネルを、表裏の両表示面を透明な電極付き基板で構成し、その２枚の電極付き透明基板の間に、透明でなく、かつ、前記２枚の透明基板の電極と対をなすような電極が両面に設けられた基板を配置して形成された２つの基板間空間にそれぞれ少なくとも１種類以上の粒子からなり電界駆動可能な表示媒体を封入し、基板に設けた対電極から電界を付与することで表示媒体を移動させて画像等の情報表示を書き換えするドットマトリックス表示方式の表示部パネル１枚で構成したことを特徴とする請求項１〜６のいずれか１項に記載の両面表示式情報表示装置。
【請求項９】
両面表示可能な情報表示用パネルを、少なくとも１種類以上の粒子からなり電界駆動可能な表示媒体を一方が透明でもう一方が不透明な２枚の基板間に封入し、基板に設けた対電極から電界を付与することで表示媒体を移動させて画像等の情報表示を書き換えするドットマトリックス表示方式の表示部パネル２枚を組み合わせて構成したことを特徴とする請求項１〜６のいずれか１項に記載の両面表示式情報表示装置。
【請求項１０】
両面表示可能な情報表示用パネルの周囲の少なくとも一部に設けた回転軸を有する筐体に、表示させたい情報を取り込むためのメモリー収納部、電池、表示媒体駆動装置、情報書き換えスイッチが搭載され、情報書き換えスイッチで与えられた情報の書き換え信号に応じて表示する情報を書き換えることを特徴とする請求項１〜８のいずれか１項に記載の両面表示式情報表示装置。
【発明の詳細な説明】
【技術分野】
【０００１】
本発明は、両面表示可能な情報表示用パネルを用いた両面表示式情報表示装置に関するものである。
【背景技術】
【０００２】
従来、情報表示用パネルを用いた情報表示装置の一例として、表示媒体として液晶を用いた情報表示装置（液晶方式：例えば特許文献１参照）や、表示媒体として帯電粒子を用いた情報表示装置（電気泳動方式や電子粉流体方式）が知られている。そのうち、電子粉流体方式の情報表示装置を利用した例として、本出願人は、電子書籍表示装置（例えば、特許文献２参照）および電子棚札（例えば、特許文献３参照）を開示している。
【０００３】
【特許文献１】特開平９−２６５４７０号公報
【特許文献２】特開２００６−５８５７８号公報
【特許文献３】特開２００５−３０１０３０号公報
【０００４】
上述した従来の情報表示用パネルを利用した例では、いずれも、画面に表示させた情報に代わって別の情報を表示させる場合、同じ表示面を使って別の情報の表示を行っていた。つまり、表示させた情報を消去してから次に表示する別の情報を表示する（情報を書き換える）ことを行っていた。
【発明の開示】
【発明が解決しようとする課題】
【０００５】
そのため、上述した従来の情報表示用パネルを利用した例では、ユーザは画面に表示された情報の書き換えが終了するまで別の情報が表示されるまで待つことになるが、その間、どうしても画面を見続けてしまう人間的習性のため、ユーザの目が疲れるという問題があった。
【０００６】
本発明の目的は上述した問題点を解消して、１枚の情報表示用パネルを１枚の紙の表裏面のように利用することができ、書き換えた情報が表示されるまで待つ動作をなくすことができ、さらに、表示情報の多様化に対応することのできる両面表示式情報表示装置を提供しようとするものである。
【課題を解決するための手段】
【０００７】
本発明の両面表示式情報表示装置の第１発明は、両面表示可能な情報表示用パネルを用いた両面表示式情報表示装置であって、両面表示可能な情報表示用パネルの周囲の少なくとも一部に回転軸を有する筐体とともに一体とし、この回転軸を枠体に回転自在に装着して構成され、情報書き換えスイッチをＯＮとすることによって情報表示用パネルの裏側表示面に書き換えた情報を表示させ、情報表示用パネルを、回転させて裏返すことによって書き換え表示した情報を見るようにしたことを特徴とするものである。
【０００８】
なお、本発明の両面表示式情報表示装置の第１発明の好適例としては、情報書き換えスイッチを、書き換えスイッチ（送り）と書き換えスイッチ（戻り）とから構成し、（１）書き換えスイッチ（送り）をＯＮにして、次情報を情報表示用パネルの裏側表示面に書き換え表示させ、情報表示用パネルを裏返すことで書き換えた次情報を見るようにし、（２）書き換えスイッチ（戻り）をＯＮにして、前情報を情報表示用パネルの裏側表示面に書き換え表示させ、情報表示用パネルを裏返すことで書き換えた前情報を見るようにしたことがある。
【０００９】
本発明の両面表示式情報表示装置の第２発明は、両面表示可能な情報表示用パネルを用いた両面表示式情報表示装置であって、両面表示可能な情報表示用パネルの周囲の少なくとも一部に回転軸を有する筐体とともに一体とし、この回転軸を枠体に回転自在に装着して構成され、情報表示用パネルを、回転させることによって情報書き換えスイッチがＯＮとなり情報表示用パネルの裏側表示面に書き換えた情報を表示させ、情報表示用パネルが裏返しになった状態で書き換え動作が終了し、書き換え表示された情報を見られるようにしたことを特徴とするものである。
【００１０】
なお、本発明の両面表示式情報表示装置の第２発明の好適例としては、情報書き換えスイッチを、書き換えスイッチ（送り）と書き換えスイッチ（戻り）と書き換えモード判断手段とから構成し、（１）両面表示可能な情報表示用パネルを一定方向に回すと、書き換えスイッチ（送り）と書き換えスイッチ（戻り）とが協働することで送り書き換えモードがＯＮとなり、次情報を情報表示用パネルの裏側表示面に書き換え表示させ、情報表示用パネルを裏返し終わった状態で書き換えた次情報を見られるようにし、（２）両面表示可能な情報表示用パネルを前記一定方向とは逆の方向に回すと、書き換えスイッチ（戻り）と書き換えスイッチ（送り）とが協働することで戻り書き換えモードがＯＮとなり、前情報を情報表示用パネルの裏側表示面に書き換え表示させ、情報表示用パネルを裏返し終わった状態で書き換えた前情報を見られるようにしたこと、両面表示可能な情報表示用パネルを指で回転させると情報書き換えスイッチが作動して情報表示用パネルの裏側表示面に別の情報を書き換え表示し、指を離すと元の表側表示面に回転して戻り、その戻る過程で情報書き換えスイッチが作動して元の情報に書き換え表示するよう構成したこと、両面表示式情報表示装置の枠体部に、両面表示可能な情報表示用パネルの回転ストッパーを設け、この回転ストッパーにより両面表示可能な情報表示用パネルの回転を規制するよう構成したこと、がある。
【００１１】
また、本発明の両面表示式情報表示装置の第１発明および第２発明の好適例としては、両面表示可能な情報表示用パネルを、少なくとも１種類以上の粒子からなり電界駆動可能な表示媒体を２枚の透明基板間に封入し、基板に設けた透明対電極から電界を付与することで表示媒体を移動させて画像等の情報表示を書き換えするドットマトリックス表示方式の表示部パネル１枚で構成したこと、両面表示可能な情報表示用パネルを、表裏の両表示面を透明な電極付き基板で構成し、その２枚の電極付き透明基板の間に、透明でなく、かつ、前記２枚の透明基板の電極と対をなすような電極が両面に設けられた基板を配置して形成された２つの基板間空間にそれぞれ少なくとも１種類以上の粒子からなり電界駆動可能な表示媒体を封入し、基板に設けた電極から電界を付与することで表示媒体を移動させて画像等の情報表示を書き換えするドットマトリックス表示方式の表示部パネル１枚で構成したこと、両面表示可能な情報表示用パネルを、少なくとも１種類以上の粒子からなり電界駆動可能な表示媒体を一方が透明でもう一方が不透明な２枚の基板間に封入し、基板に設けた対電極から電界を付与することで表示媒体を移動させて画像等の情報表示を書き換えするドットマトリックス表示方式の表示部パネル２枚を組み合わせて構成したこと、両面表示可能な情報表示用パネルの周囲の少なくとも一部に設けた回転軸を有する筐体に、表示させたい情報を取り込むためのメモリー収納部、電池、表示媒体駆動装置、情報書き換えスイッチが搭載され、情報書き換えスイッチで与えられた情報の書き換え信号に応じて表示する情報を書き換えること、がある。
【発明の効果】
【００１２】
本発明の両面表示式情報表示装置によれば、両面表示可能な情報表示用パネルの周囲の少なくとも一部に回転軸を有する筐体とともに一体とし、この回転軸を枠体に回転自在に装着して構成され、（１）情報書き換えスイッチをＯＮとすることによって情報表示用パネルの裏側表示面に書き換えた情報を表示させ、情報表示用パネルを、回転させて裏返すことによって書き換え表示した情報を見るようにしたことで、あるいは、（２）情報表示用パネルを、回転させることによって情報書き換えスイッチがＯＮとなり情報表示用パネルの裏側表示面に書き換えた情報を表示させ、情報表示用パネルが裏返しになった状態で書き換え動作が終了し、書き換え表示された情報を見られるようにしたことで、１枚の情報表示用パネルを１枚の紙の表裏面のように利用することができ、書き換えた情報が表示されるまで待つ動作をなくすことができ、さらに、表示情報の多様化に対応することのできる両面表示式情報表示装置を得ることができる。
【発明を実施するための最良の形態】
【００１３】
＜第１実施例：前後回転書き換え方式の両面表示式情報表示装置（電子書籍）を構成する例＞
図１（ａ）、（ｂ）はそれぞれ本発明の両面表示式情報表示装置（電子書籍）の第１実施例の一例を説明するための図であり、図１（ａ）はその正面図を、図１（ｂ）は図１（ａ）のＡ−Ａ線に沿った断面図を、それぞれ示している。図１（ａ）、（ｂ）に示す例において、両面表示式情報表示装置（電子書籍）１は、両面表示可能な１枚の表示部パネルの周囲に情報表示用パネル筐体３を設けて構成した両面表示可能な情報表示用パネル２と一体に、情報表示用パネル筐体３の左右のそれぞれの辺の中央部に外側に突出して回転軸５を設け、回転軸５を枠体６に回転自在に装着して、前後回転書き換え方式の両面表示式情報表示装置（電子書籍）として構成されている。
【００１４】
図１（ａ）、（ｂ）に示す例では、情報表示用パネル筐体３の右側の辺の外側において、情報書き換えスイッチ７と情報書き換えスイッチ８とを回転軸５を挟んで設け、この２つの情報書き換えスイッチの協働によって書き換えモードを判断する書き換えモード判断手段１３を有している。また、両面表示可能な情報表示用パネル２を、帯電粒子からなる電界駆動可能な表示媒体を２枚の透明基板間に封入し、基板に設けた透明対電極から電界を付与することで表示媒体を移動させて画像等の情報表示を書き換えする表示部パネル１枚で構成している。さらに、情報表示用パネル筐体３に、表示させたい情報を取り込むためのメモリー収納部９、電池１０、表示媒体駆動装置１１、情報書き換えスイッチ（７、８）が搭載され、情報書き換えスイッチ７及び情報書き換えスイッチ８の動作（スイッチの動作の詳細については後述する）により与えられた情報の書き換え信号に応じて、両面表示可能な情報表示用パネル２の表側表示面および裏側表示面に表示する情報を書き換えることができるよう構成している。
本第１実施例の形態により、第２発明を実施できる
【００１５】
図２（ａ）、（ｂ）はそれぞれ本発明の両面表示式情報表示装置の第１実施例の他の例を説明するための図であり、図２（ａ）はその平面図を、図２（ｂ）は図２（ａ）のＡ−Ａ線に沿った断面図を、それぞれ示している。図２（ａ）、（ｂ）に示す例において、図１（ａ）、（ｂ）に示す例と同一の部材には同一の符号を付し、その説明を省略する。図２（ａ）、（ｂ）に示す例において、図１（ａ）、（ｂ）に示す例と異なる点は、両面表示可能な情報表示用パネル２を、帯電粒子からなる電界駆動可能な表示媒体を一方が透明でもう一方が不透明な２枚の基板間に封入し、基板に設けた対電極から電界を付与することで表示媒体を移動させて画像等の情報表示を書き換えする表示部パネル２−１、２−２を２枚互いの背面を合わせて構成している点である。図２（ａ）、（ｂ）に示す例においても、図１（ａ）、（ｂ）に示す例と同様の作用効果を得ることができる。
本第１実施例の形態によっても、第２発明を実施できる。
【００１６】
上述した図１（ａ）、（ｂ）及び図２（ａ）、（ｂ）に示す第１実施例では、例えば、情報書き換えスイッチ７を押し込むための突起と情報書き換えスイッチ８を押し込むための突起とのスイッチ押し込み時間が２個のスイッチ間で異なるような大きさ及び配置位置に２個のスイッチおよび２個の突起を設けることで、両面表示可能な情報表示用パネル２を前回転させると情報書き換えスイッチ７および情報書き換えスイッチ８とが後述するように協働してページ送り動作となり、両面表示可能な情報表示用パネル２を逆方向に回転させるとページ戻り動作となるよう構成し、情報表示用パネル２を回転するとページ捲り書き換えかページ戻り書き換えを行って、情報表示用パネル２の裏側表示面に書き換えたページを表示し、情報表示用パネル２の裏返しを終了することによって、情報表示用パネル２の裏面側に書き換え表示されたページを見ることができる。
【００１７】
＜第２実施例：情報書き換えスイッチを情報表示用パネル筐体の下部表面に設けた、左右回転方式の両面表示式情報表示装置（電子書籍）を構成する例＞
図３（ａ）〜（ｃ）はそれぞれ本発明の両面表示式情報表示装置の第２実施例を説明するための図であり、図３（ａ）はその正面図を、図３（ｂ）は図３（ａ）のＡ−Ａ線に沿った断面図の一例を、図３（ｃ）は図３（ａ）のＡ−Ａ線に沿った断面図の他の例を、それぞれ示している。図３（ａ）〜（ｃ）に示す例において、両面表示式情報表示装置（電子書籍）１は、両面表示可能な表示部パネルの周囲に情報表示用パネル筐体３を設けて両面表示可能な情報表示用パネル２を構成し、情報表示用パネル筐体３の上下のそれぞれの辺の中央部に外側に突出して回転軸５を設け、回転軸５を枠体６に回転自在に装着して、左右回転方式の両面表示式情報表示装置（電子書籍）として構成されている。
【００１８】
図３（ａ）〜（ｃ）に示す例では、情報表示用パネル筐体３内の下部の左右に、情報書き換えスイッチ７と情報書き換えスイッチ８とを設けている。情報書き換えスイッチ７と情報書き換えスイッチ８とは、図３（ａ）に示した表面に対する裏面に対しても、同様に設けられている。また、図３（ｂ）に示す例では、両面表示可能な情報表示用パネル２を、帯電粒子からなる電界駆動可能な表示媒体を２枚の透明基板間に封入し、基板に設けた透明対電極から電界を付与することで表示媒体を移動させて画像等の情報表示を書き換えするドットマトリックス表示方式の表示部パネル１枚で構成している。一方、図３（ｃ）に示す例では、両面表示可能な情報表示用パネル２を、少なくとも１種類以上の粒子からなり電界駆動可能な表示媒体を一方が透明でもう一方が不透明な２枚の基板間に封入し、基板に設けた対電極から電界を付与することで表示媒体を移動させて画像等の情報表示を書き換えするドットマトリックス表示方式の表示部パネル２枚（２−１、２−２）を組み合わせて構成している。さらに、情報表示用パネル筐体３に、表示させたい情報を取り込むためのメモリー収納部９、電池１０、表示媒体駆動装置１１、情報書き換えスイッチ（７、８）が搭載され、情報書き換えスイッチを構成する情報書き換えスイッチ７及び情報書き換えスイッチ８の動作により与えられた情報の書き換え信号に応じて、両面表示が可能な情報表示用パネル２の表側表示面および裏側表示面に表示する情報を書き換えることができるよう構成している。
本第２実施例の形態によって、第１発明を実施できる。
【００１９】
図４（ａ）〜（ｃ）および図５（ａ）〜（ｃ）はそれぞれ本発明の第２実施例に係る両面表示式情報表示装置の動作を説明するための図であり、図４（ａ）〜（ｃ）に示す例ではページ送り動作を、図５（ａ）〜（ｃ）に示す例ではページ戻り動作を、それぞれ説明している。
【００２０】
図４（ａ）〜（ｃ）に示すページ送り動作では、まず、図４（ａ）に示すように、情報表示用パネル２の第１表示面２ａに第１ページの情報が表示された状態で、情報書き換えスイッチ７を押した後、図４（ｂ）に示すように、情報表示用パネル２を左右反転して裏返す。この際、情報書き換えスイッチ７を押してから情報表示用パネル２を回転させて裏返しを終了する間に、第２表示面２ｂを第２ページの情報に書き換える。これにより、図４（ｃ）に示すように、情報表示用パネル２の第２表示面２ｂに表示された第２ページの情報を見る（読む）ことができる。情報表示用パネル２を裏返すために回転する方向は左右いずれの方向でもよい。
【００２１】
図５（ａ）〜（ｃ）に示すページ戻り動作では、まず、図５（ａ）に示すように、情報表示用パネル２の第２表示面２ｂに第２ページの情報が表示された状態で、情報書き換えスイッチ８を押した後、図５（ｂ）に示すように、情報表示用パネル２を左右反転して裏返す。この際、情報書き換えスイッチ８を押してから情報表示用パネル２を回転させて裏返しを終了する間に、第１表示面２ａを第１ページの情報に書き換える。これにより、図５（ｃ）に示すように、情報表示用パネル２の第１表示面２ａに表示された第１ページの情報を再び見る（読む）ことができる。情報表示用パネル２を裏返すために回転する方向は左右いずれの方向でもよい。
【００２２】
＜第３実施例：情報書き換えスイッチを情報表示用パネル筐体の上部外側に設けた、左右回転書き換え方式の両面表示式情報表示装置（電子書籍）を構成する例＞
図６（ａ）〜（ｃ）はそれぞれ本発明の両面表示式情報表示装置の第３実施例を説明するための図であり、図６（ａ）はその正面図を、図６（ｂ）は図６（ａ）のＡ−Ａ線に沿った断面図の一例を、図６（ｃ）は図６（ａ）のＡ−Ａ線に沿った断面図の他の例を、それぞれ示している。図６（ａ）〜（ｃ）に示す例において、両面表示式情報表示装置１は、両面表示可能な表示部パネルの周囲に情報表示用パネル筐体３を設けて両面表示可能な情報表示用パネル２を構成し、情報表示用パネル筐体３の上下のそれぞれの辺の中央部に外側に突出して回転軸５を設け、回転軸５を枠体６に回転自在に装着して、左右回転書き換え方式の両面表示式情報表示装置（電子書籍）として構成されている。
【００２３】
図６（ａ）〜（ｃ）に示す例では、情報表示用パネル筐体３の上側の辺の外側において、回転軸５を挟んだ位置に、情報書き換えスイッチ７と情報書き換えスイッチ８とを設け、この２つの情報書き換えスイッチの協働によって書き換えモードを判断する書き換えモード判断手段１３を有している。また、図６（ｂ）に示す例では、両面表示可能な情報表示用パネル２を、電界駆動可能な表示媒体を２枚の透明基板間に封入し、基板に設けた透明対電極から電界を付与することで表示媒体を移動させて画像等の情報表示を書き換えするドットマトリックス方式の表示部パネル１枚で構成している。一方、図６（ｃ）に示す例では、両面表示可能な情報表示用パネル２を、少なくとも１種類以上の粒子からなり電界駆動可能な表示媒体を一方が透明でもう一方が不透明な２枚の基板間に封入し、基板に設けた対電極から電界を付与することで表示媒体を移動させて画像等の情報表示を書き換えするドットマトリックス表示方式の表示部パネル２枚（２−１、２−２）を組み合わせて構成している。さらに、情報表示用パネル筐体３に、表示させたい情報を取り込むためのメモリー収納部９、電池１０、表示媒体駆動装置１１、情報書き換えスイッチが搭載され、情報書き換えスイッチ７及び情報書き換えスイッチ８の動作（スイッチの動作の詳細については後述する第３実施例で説明する）により与えられた情報の書き換え信号に応じて、両面表示可能な情報表示用パネル２の表側表示面および裏側表示面に表示する情報を書き換えることができるよう構成している。
本第３実施例の形態によっても、第２発明を実施できる。
【００２４】
図７（ａ）〜（ｃ）および図８（ａ）〜（ｃ）はそれぞれ本発明の第３実施例に係る両面表示式情報表示装置の動作を説明するための図であり、図７（ａ）〜（ｃ）に示す例ではページ送り動作を、図８（ａ）〜（ｃ）に示す例ではページ戻り動作を、それぞれ説明している。
【００２５】
図７（ａ）〜（ｃ）に示すページ送り動作では、まず、図７（ａ）に示すように、情報表示用パネル２の第１表示面２ａに第１ページの情報が表示された状態で、図７（ｂ）に示すように、情報表示用パネル２を左回転して裏返す。この際、情報表示用パネル２を左回転することで、情報書き換えスイッチ７および情報書き換えスイッチ８とが後述するように協働して、ページ送り動作となり、情報表示用パネル２を回転させて裏返しを終了する間に、第２表示面２ｂを第２ページの情報に書き換える。これにより、図７（ｃ）に示すように、情報表示用パネル２の第２表示面２ｂに表示された第２ページの情報を見る（読む）ことができる。回転の途中でページ送り書き換え動作が開始されているので、回転途中で回転方向を逆にすると正面に向いた画面は、ページ情報が消去されたものか裏側表示面に表示されたページのネガ画像が表示されたものとなってしまうので好ましくない。裏返しを終了するまで一定方向に回転することが好ましい。
【００２６】
図８（ａ）〜（ｃ）に示すページ戻り動作では、まず、図８（ａ）に示すように、情報表示用パネル２の第２表示面２ｂに第２ページの情報が表示された状態で、図８（ｂ）に示すように、情報表示用パネル２を右回転して裏返す。この際、情報表示用パネル２を右回転することで、情報書き換えスイッチ７および情報書き換えスイッチ８とが後述するように協働して、ページ戻り動作となり、情報表示用パネル２を回転させて裏返しを終了する間に、第１表示面２ａを第１ページの情報に書き換える。これにより、図８（ｃ）に示すように、情報表示用パネル２の第１表示面２ａに表示された第１ページの情報を再び見る（読む）ことができる。回転の途中でページ送り書き換え動作が開始されているので、回転途中で回転方向を逆にすると正面に向いた画面は、ページ情報が消去されたものか裏側表示面に表示されたページのネガ画像が表示されたものとなってしまうので好ましくない。裏返しを終了するまで一定方向に回転することが好ましい。
【００２７】
＜第１実施例および第３実施例におけるスイッチの動作について＞
次に、本発明におけるページ送りまたはページ戻りを検知するスイッチの動作について説明する。情報書き換えスイッチの機構としては、スイッチを開放することでスイッチＯＮとなるように構成したメカニカルスイッチを用いる。ページ捲り（回転）方向に応じて、２個のスイッチの開放順により書き換え動作モードが検知され、書き換え動作モードにより、ページ送り書き換え、ページ戻り書き換えの各動作が行われる。例えば、２個のスイッチＡ、Ｂがほぼ同時に開放となったらページ送り書き換えを行い、スイッチＡ、スイッチＢの順で開放となったらページ戻り書き換えを行う。一連の動作において、２個のスイッチが再び押し込まれると一連の書き換えを終了する。
以下、その具体例として、上述した第３実施例（左右回転方式）において、情報書き換えスイッチ７と情報書き換えスイッチ８とを用いてページの送りおよび戻りの判断を行うスイッチの動作について説明する。
【００２８】
図９（ａ）〜（ｄ）および図１０（ａ）〜（ｄ）はそれぞれ本発明の第３実施例に係るページ送り／戻りの動作の判断におけるスイッチの動作を説明するための図であり、図９（ａ）〜（ｄ）に示す例ではページ送り動作におけるスイッチの動作を、図１０（ａ）〜（ｄ）に示す例ではページ戻り動作におけるスイッチの動作を、それぞれ説明している。図９（ａ）〜（ｄ）および図１０（ａ）〜（ｄ）に示す例では、情報書き換えスイッチ７および情報書き換えスイッチ８のそれぞれを、バネ等の弾性部材を用いて、情報表示用パネル筐体３に対し、突出した開放状態の位置と押し込まれた状態の位置とを取り得るよう構成している。また、枠体６の情報書き換えスイッチ７および情報書き換えスイッチ８に対応する位置に面積の異なる押圧部材１２−１、１２−２を設け、情報書き換えスイッチ７および情報書き換えスイッチ８と押圧部材１２−１、１２−２とが接触していて、情報書き換えスイッチ７および情報書き換えスイッチ８が押し込まれた状態では書き換え動作が開始されないようにしている。さらに、情報表示用パネル筐体３の幅方向において、一方の押圧部材１２−１の幅が他方の押圧部材１２−２の幅と異なる幅、例えば、押圧部材１２−１の幅が押圧部材１２−２の幅の２倍となるよう構成している。
【００２９】
図９（ａ）〜（ｄ）に示すページ送り情報書き換え判断時のスイッチの動作は、まず、図９（ａ）に示すように、情報表示用パネル２の第１表示面２ａに第１ページの情報が表示された状態で、情報書き換えスイッチ７および情報書き換えスイッチ８は両者とも押し込まれた状態となっている。次に、図９（ｂ）に示すように、情報表示用パネル２を回転軸５を中心として右回転すると、押圧部材１２−１、１２−２から情報書き換えスイッチ７および情報書き換えスイッチ８が同時に開放され、ページ送り動作であると判断し、情報表示用パネル２の第２表示面２ｂに第２ページの情報を書き換え表示し始める。回転途中は、図９（ｃ）に示すように、両スイッチ７、８とも開放された状態のままですでに書き換わったページが表示されている。そして、図９（ｄ）に示すように、情報表示用パネル２が１８０度回転すると、情報書き換えスイッチ７と情報書き換えスイッチ８とが、スイッチ８→７の順で押圧部材１２−１、１２−２と接触し、この順で情報書き換えスイッチ７および情報書き換えスイッチ８は押し込まれ一連のページ送り書き換えを終了することができる。
【００３０】
図１０（ａ）〜（ｄ）に示すページ戻り情報書き換え判断時のスイッチの動作は、まず、図１０（ａ）に示すように、情報表示用パネル２の第２表示面２ｂに第２ページの情報が表示された状態で、情報書き換えスイッチ７および情報書き換えスイッチ８は両者とも押し込まれた状態となっている。次に、図１０（ｂ）に示すように、情報表示用パネル２を回転軸５を中心として左回転すると、情報書き換えスイッチ７が先に押圧部材１２−２から離れ、次に、情報書き換えスイッチ８が押圧部材１２−１から離れ、スイッチ７→８の順で両スイッチは開放された状態となることで、ページ戻り動作であると判断して、情報表示用パネル２の第１表示面２ａに第１ページの情報を書き換え表示し始める。回転途中は、図１０（ｃ）に示すように、両スイッチ７、８とも開放された状態のままで、すでに書き換わったページが表示されている。そして、図１０（ｄ）に示すように、情報表示用パネル２が１８０度回転すると、情報書き換えスイッチ７と情報書き換えスイッチ８とが同時に押圧部材１２−１、１２−２と接触し、情報書き換えスイッチ７および情報書き換えスイッチ８が同時に押し込まれ一連のページ戻り書き換えを終了することができる。
【００３１】
＜第１実施例および第３実施例の両面表示式情報表示装置の用途について＞
図１１（ａ）、（ｂ）および図１２（ａ）、（ｂ）はそれぞれ本発明の第１実施例および第３実施例の両面表示式情報表示装置の用途の一例を説明するための図である。
【００３２】
図１１（ａ）、（ｂ）に示す例は、前後回転書き換え方式（第１実施例）の両面表示式情報表示装置を、月捲り型カレンダーとして用いている。本例では、図１１（ａ）の状態から図１１（ｂ）の状態に回転させて裏返すと、次月のカレンダーを表示するよう構成している。また、反対方向に回転させて裏返すと、前月のカレンダーを表示するよう構成している。さらに、破線領域に赤色表示媒体／白色表示媒体を、他の領域に黒色表示媒体／白色表示媒体を配置してエリアカラードットマトリックス表示するよう構成している。
【００３３】
図１２（ａ）、（ｂ）に示す例は、左右回転書き換え方式（第３実施例）の両面表示式情報表示装置を、暗記学習カードとして用いている。本例では、図１２（ａ）の状態から図１２（ｂ）の状態に回転させて裏返すと、英単語の意味を日本語で表示するよう構成している。また、反対方向に回転させて裏返すと、元の英単語を表示するよう構成している。さらに、情報表示用パネル２に内蔵されたメモリー収納用接続端子にメモリースティック（外部メモリー）を装着することによって、そこに収録された「英単語／意味」のセット情報を順番に表示するよう構成している。
【００３４】
なお、２枚の片面表示式表示部パネルで構成した両面表示可能な情報表示用パネルや、２枚の透明基板と１枚の不透明基板との３基板で構成した２つの基板間空間に表示媒体を配置した両面表示可能な情報表示用パネルを用いた場合、情報表示用パネルを捲る（回転する）ことをしないで、情報表示装置全体を裏返すと、情報表示用パネルの裏面に表示されたまま残っている前に表示させたページ画面を見ることができる。２枚の透明基板間に表示媒体を配置した両面表示可能な情報表示用パネルを用いた場合は、裏側表示面は表側表示面に表示された画像のネガが表示されているので、情報表示装置全体を裏返してもネガ表示が見えることになる。
【００３５】
＜第４実施例：電子棚札、電子説明ボードとして両面表示式情報表示装置を構成する例＞
図１３（ａ）、（ｂ）はそれぞれ本発明の両面表示式情報表示装置の第４実施例を説明するための図であり、図１３（ａ）はその正面図を、図１３（ｂ）は図１３（ａ）のＡ−Ａ線に沿った断面図を、それぞれ示している。図１３（ａ）、（ｂ）に示す例において、両面表示式情報表示装置１は、周囲に情報表示用パネル筐体３を設けて両面表示可能な情報表示用パネル２を構成し、情報表示用パネル筐体３の左右のそれぞれの辺の中央部に外側に突出して回転軸５を設け、回転軸５を上部が開放されて構成される枠体６に回転自在に装着して、電子棚札、電子説明ボード等として用いられる両面表示式情報表示装置として構成されている。
【００３６】
図１３（ａ）〜（ｃ）に示す例では、情報表示用パネル筐体３の下側の辺の中央部外側に、情報書き換えスイッチ２１（２１−１（送り）、２１−２（戻り））を設け、情報表示用パネル２の回転によって書き換えモードが判断され情報書き換えスイッチ２１が作動するよう構成している。また、両面表示可能な情報表示用パネル２を、帯電粒子からなる電界駆動可能な表示媒体を２枚の透明基板間に封入し、基板に設けた透明対電極から電界を付与することで表示媒体を移動させて画像等の情報表示を書き換えする方式の表示部パネル１枚で構成している。さらに、情報表示用パネル筐体３の下側の辺の情報書き換えスイッチ２１の両側の位置に、情報表示用パネル筐体３と枠体６とを接続するバネ等から構成される弾性部材２２が設けられている。この弾性部材２２により、情報表示用パネル２の表示面を指で裏返すと回転軸５を中心に回転でき、指を離すと元の表示面に戻るように構成している。
【００３７】
電子棚札、電子説明ボード等として使用する場合、商品の価格表示は常に前面にあり、他の商品情報（例えば、生産者紹介などの、商品についての詳細情報）は顧客が見たいときだけ情報表示用パネル２を裏返すことによって裏面に情報が表示され見ることができるようにする。見終わった後は、自動的に元の商品価格表示面に戻り、このとき表示内容も書き換わるようにする。一例を上述したように、情報表示用パネル２の復元はバネ等の弾性部材２２を利用したメカニカルな構成が好ましいが、これに限定されるわけではない。これは、顧客が元の表示面に戻してくれることは期待できないが、裏返せば他の情報が得られることを、表側表示面に記載しておけば、情報表示用パネル２を裏返すことは期待できるためである。また、電子情報ボードでは、回転軸を情報表示用パネル２の中央付近に設けて回転できるように枠体と組み合わせた構成が、位置復元をバネ等の弾性部材２２を利用して行う場合には好ましい。回転の範囲を９０度に留めると、バネによる復元が確実かつ滑らかに実現できるので好ましい。
【００３８】
図１４（ａ）〜（ｃ）および図１５（ａ）〜（ｃ）はそれぞれ本発明の第４実施例の書き換え動作の一例を説明するための図であり、図１４（ａ）〜（ｃ）は電子棚札を構成した例を、図１５（ａ）〜（ｃ）は電子説明ボードを構成した例を、それぞれ示している。図１４（ａ）〜（ｃ）および図１５（ａ）〜（ｃ）に示す例では、図１３（ａ）、（ｂ）に示す構成において、さらに、枠体６の左右両側に、情報表示用パネル２の回転の方向および角度を規制するための回転ストッパー２３を設けている。
【００３９】
図１４（ａ）〜（ｃ）に示す電子棚札の例では、まず、図１４（ｃ）に常時の表示状態を示すように、情報表示用パネル２の第１表示面２ａに、商品名と価格とからなる情報を表示する。この常時表示中は、情報書き換えスイッチ２１（２１−１、２１−２）は押し込まれた状態で、電源ＯＦＦの状態となっている。また、回転ストッパー２３により、情報表示用パネル２の回転を、その上半分が手前に倒れる方向にのみ回転できるよう規制している。
【００４０】
次に、図１４（ｂ）に示すように、情報表示用パネル２を、その上半分が手前方向に倒れるよう指等で操作することで、９０度回転させる。その際、回転開始直後に情報書き換えスイッチ２１が表示ボード枠体６から離れることでスイッチ２１−１→スイッチ２１−２の順で開放され、送り書き換えモードと判断され、次ページへの書き換えのため駆動電源がＯＮとなる。そして、情報表示用パネル２の第２表示面２ｂの書き換えが開始され、第２表示面２ｂに生産者紹介等の次ページ情報が表示される。情報表示用パネル２の回転は、情報表示用パネル２が９０度回転した時点で回転ストッパー２３の上端と当接することで、９０度に規制されている。顧客は、情報表示用パネル２を押さえた状態で生産者紹介等の情報を見ることができる。
規制角度の調整は回転ストッパー２３の高さで行う。回転ストッパー２３の高さを、回転軸の位置よりも低くすれば９０度〜１８０度の範囲で規制角度を調整できる。
【００４１】
次に、顧客が情報表示用パネル２から指を離すことで、図１４（ｃ）に示すように、バネの復元力で元の位置に情報表示用パネル２が戻る。その際、情報書き換えスイッチ２１がスイッチ２１−２→スイッチ枠体２１−１の順で枠体６と当接して押し込まれることで、戻り書き換えモードと判断され前ページへの書き換えのため駆動電源がＯＮとなり、情報表示用パネル２の第１表示面２ａの表示書き換えが開始され、第１表示面２ａに元の商品名および値段からなる情報が表示される。表示は数秒で書き換わり、電源ＯＦＦになる。
【００４２】
図１５（ａ）〜（ｃ）に示す電子説明ボードの例では、まず、図１５（ｃ）に常時の表示状態を示すように、情報表示用パネル２の第１表示面２ａに、展示品名と作者とからなる情報を表示する。この常時表示中は、情報書き換えスイッチ２１（２１−１、２１−２）は押し込まれた状態で、電源ＯＦＦの状態となっている。また、回転ストッパー２３により、情報表示用パネル２の回転を、その上半分が手前に倒れる方向にのみ回転できるよう規制している。
【００４３】
次に、図１５（ｂ）に示すように、情報表示用パネル２を、その上半分が手前方向に倒れるよう指等で操作することで、９０度回転させる。その際、回転開始直後に情報書き換えスイッチ２３が枠体６から離れることでスイッチ２１−１→スイッチ２１−２の順で開放され、送り書き換えモードと判断され次ページへの書き換えのため駆動電源がＯＮとなる。そして、情報表示用パネル２の第２表示面２ｂの書き換えが開始され、第２表示面２ｂに作者紹介等の情報が表示される。情報表示用パネル２の回転は、情報表示用パネル２が９０度回転した時点で表示ボードストッパー２３の上端と当接することで、９０度に規制されている。見学者は、情報表示用パネル２を押さえた状態で作者紹介等の情報を見ることができる。
規制角度の調整は回転ストッパー２３の高さで行う。回転ストッパー２３の高さを、回転軸の位置よりも低くすれば９０度〜１８０度の範囲で規制角度を調整できる。
【００４４】
次に、見学者が情報表示用パネル２から指を離すことで、図１５（ｃ）に示すように、バネの復元力で元の位置に情報表示用パネル２が戻る。その際、情報書き換えスイッチ２１がスイッチ２１−２→スイッチ２１−１の順で枠体６と当接して押し込まれることで、戻り書き換えモードと判断され前ページへの書き換えのため駆動電源がＯＮとなり、情報表示用パネル２の第１表示面２ａの表示書き換えが開始され、第１表示面２ａに元の展示品名および作者からなる情報が表示される。表示は数秒で書き換わり、電源ＯＦＦになる。
【００４５】
＜第１実施例〜第４実施例において用いる情報表示用パネルの説明＞
上述した第１実施例〜第４実施例において、両面表示可能な情報表示用パネル２として好ましい構成は以下の通りである。まず、電界駆動可能な表示媒体としては、帯電粒子を気体中空間で駆動する方式や、帯電粒子を絶縁液体中で駆動する（電気泳動）方式や、半分ずつ帯電極性および色が異なる部分で構成した帯電粒子を絶縁液体とともにマイクロカプセル中で駆動（回転）する方式のものに適用できる。また、２枚の透明基板には、透明な導電材料で電極を対で設け、この対電極間に形成された電界によって表示媒体を駆動させて画像等の情報表示を書き換える。対電極は、ライン電極を互いに対向直交交差させて形成したり、個別電極を対向させて形成したりすることができる。いずれの場合もドットマトリックス表示方式の情報表示用パネルとすることができる。２枚の透明基板間に封入した表示媒体を駆動させる場合、薄膜トランジスタ（ＴＦＴ）などの不透明なスイッチ素子を用いる必要がない透明ライン電極を用いたパッシブ駆動が好適に用いられる。
【００４６】
表示媒体を封止する空間を透明基板と透明であることを要しない基板とで形成した表示部パネルでは、ライン電極で構成した対電極のによるパッシブ駆動方式も、個別電極で構成した対電極によるアクティブ駆動方式も好適に用いられる。対電極をドットマトリックス配置することでドットマトリックス型情報表示用パネルとすることができる。両面表示可能な情報表示用パネルを、２枚の片面表示式表示部パネルで構成したり、２枚の透明基板と１枚の不透明基板で形成する２つの基板間空間に表示媒体を封入した１枚の表示部パネルで構成したりした場合には、ＴＦＴを使ってアクティブ駆動させることもできる。このような表示部パネルには液晶のような表示媒体を用いることもできる。さらにまた、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートが適用でき、観察側面となる基板にはこのうち透明なものを用いる。観察面としない基板には透明でないものも適用できる。
【００４７】
次に、情報表示用パネル２に用いる表示部パネルの具体例として、帯電粒子（表示媒体）を気体中空間で駆動する方式の一例を、図１６（ａ）、（ｂ）〜図１８（ａ）、（ｂ）それぞれを参照して説明する。
【００４８】
図１６（ａ）、（ｂ）〜図１８（ａ）、（ｂ）に示した例では、電界駆動可能な粒子からなる表示媒体３３を２枚の基板３１、３２間の空間に封入し、基板３１、３２のそれぞれに設けた電極３５、３６から電界を付与することで、表示媒体３３を移動させて画像等の情報表示を書き換えできるドットマトリックス型表示方式の表示部パネルを示している。また、表示媒体３を封入する基板３１、３２間の空間は、隔壁３４により複数のセル（小部屋）３７で仕切られている。これにより、封入した表示媒体３３が偏ることを防止できる。なお、表示媒体３３をマイクロカプセルに封止した場合には、このマイクロカプセルがセル（小部屋）の機能を有するので、さらにセル（小部屋）を設けなくても良い。
【００４９】
図１６（ａ）、（ｂ）に示す例では、３つのセル３７を表示単位（１ドット）とし、それぞれのセル３７に、白色表示媒体３３Ｗと赤色表示媒体３３Ｒとの２色の組み合わせの表示媒体、白色表示媒体３３Ｗと緑色表示媒体３３Ｇとの２色の組み合わせの表示媒体、白色表示媒体３３Ｗと青色表示媒体３３ＢＬとの２色の組み合わせの表示媒体、を封入してカラードット表示している。図１６（ａ）、（ｂ）に示す例とも観察者に対し赤色ドット表示を行っている。図１６（ａ）と図１６（ｂ）との相違点は、図１６（ａ）に示す例では電極３５、３６をライン電極として構成してパッシブ駆動しているのに対し、図１６（ｂ）に示す例では電極３５、３６を個別電極として構成してアクティブ駆動している点である。図１６（ｂ）は片面表示可能な表示部パネルとして構成している。表示媒体の２色の組み合わせは上述した例に限定されるものではなく、例えば、それぞれのセルに黒赤２色、黒緑２色、黒青２色の組み合わせで表示媒体を封入した構成によってもカラードット表示することができる。
【００５０】
図１７（ａ）、（ｂ）に示す例では、３つのセル３７を表示単位（１ドット）とし、図１７（ａ）に示す例ではそれぞれのセル３７の両面の基板に、図１７（ｂ）に示す例では表示面側の基板に、三原色カラーフィルター４１Ｒ、４１Ｇ、４１ＢＬを配置し、白色表示媒体３３Ｗと黒色表示媒体３３Ｂの２色の表示媒体によってカラードット表示している。図１７（ａ）、（ｂ）とも観察者に対し青色ドット表示を行っている。図１７（ａ）と図１７（ｂ）との相違点は、図１７（ａ）に示す例では電極３５、３６をライン電極として構成してパッシブ駆動しているのに対し、図１７（ｂ）に示す例では電極３５、３６を個別電極として構成してアクティブ駆動している点、および、図１７（ａ）ではパネルの両基板にカラーフィルターを設けて両面でカラー表示する構成としているのに対し、図１７（ｂ）ではパネルの一方の基板にのみカラーフィルターを設けている点、である。図１７（ｂ）は片面表示可能な表示部パネルとして構成している。他の構成として、４つのセル３７を表示単位（１ドット）とし、それぞれのセル３７に三原色カラーフィルターと無色のカラーフィルターとを配置し、白黒２色の表示媒体によってカラードット表示することもできる。
【００５１】
また、カラーフィルターを用いてカラー表示する場合（図１７（ａ））には、表裏両面にカラーフィルターを設けることが好ましいが、どちらかの面ではカラー表示でなく２色で表示させたい場合にはどちらか１面にカラーフィルターを設けるだけでよい。このように構成することで、両面表示可能な表示部パネルとして、一面を高精細な文字等の情報を表示するのに好適なモノクロ表示とし、他の面を図形等の情報を表示するのに好適なカラー表示としたパネルを得ることができる。もちろん、用途に応じて、両面モノクロ表示とすることもできる。
【００５２】
図１８（ａ）、（ｂ）に示す例では、３つのセル３７を表示単位（１ドット）とし、それぞれのセル３７に、白色表示媒体３３Ｗとマゼンタ色表示媒体３３Ｍとの２色の組み合わせの表示媒体、白色表示媒体３３Ｗとシアン色表示媒体３３Ｃとの２色の組み合わせの表示媒体、白色表示媒体３３Ｗとイエロー色表示媒体３３Ｙとの２色の組み合わせの表示媒体、を封入してカラードット表示している。図１８（ａ）、（ｂ）とも観察者に対しマゼンタ色ドット表示を行っている。図１８（ａ）と図１８（ｂ）との相違点は、図１８（ａ）に示す例では電極３５、３６をライン電極として構成してパッシブ駆動しているのに対し、図１８（ｂ）に示す例では電極３５、３６を個別電極として構成してアクティブ駆動している点である。図１８（ｂ）は片面表示可能な表示部パネルとして構成している。
【００５３】
特に第４実施例に好適に用いられる情報表示用パネル２の表示部パネルの他の具体例を図１９（ａ）、（ｂ）に示す。図１９（ａ）、（ｂ）に示す例では、白色表示媒体３Ｗ／赤色表示媒体３Ｒを配置した表示領域と、白色表示媒体３Ｗ／黒色表示媒体３Ｂを配置した表示領域との上下表示領域を使ってエリアカラー表示する。図１９（ａ）に示す例では、図中上側の白黒表示領域の「青森産りんご」の文字が観察者に対し白地に黒色ドット表示され、図中下側の白赤表示領域の「１個１８０円」の文字が観察者に対し白地に赤色ドット表示される。また、図１９（ｂ）に示す例では、図中上側の白赤表示領域の「青森産りんご」の文字が観察者に対し白地に赤色ドット表示され、図中下側の白黒表示領域の「１個１８０円」の文字が観察者に対し白地に黒色ドット表示される。図１９（ａ）と図１９（ｂ）との相違点は、図１９（ａ）に示す例では電極３５、３６をライン電極として構成してパッシブ駆動しているのに対し、図１９（ｂ）に示す例では電極３５、３６を個別電極として構成してアクティブ駆動している点である。図１９（ｂ）は片面表示可能な表示部パネルとして構成している。
【００５４】
他の具体例を図２０（ａ）、（ｂ）および図２１（ａ）、（ｂ）に示す。図２０（ａ）、（ｂ）および図２１（ａ）、（ｂ）はそれぞれ本発明において情報表示用パネル２として２枚の片面表示式表示部パネル２−１、２−２を用いた例を示す図である。図２０（ａ）、（ｂ）に示す例では、表示部パネル２−１の背面側と２−２の背面側とを中間部材５１を介して重ね合わせて両面表示可能な情報表示用パネルを構成している。本例では、表示面となる基板２枚は透明とし、背面側基板は不透明としている。図２０（ａ）に示す例では、モノクロ表示の両面表示式情報表示用パネル２の例を示し、図２０（ｂ）に示す例では、Ｒ、Ｇ、Ｂカラーフィルターによるカラー表示の両面表示式情報表示用パネル２の例を示している。図２１（ａ）、（ｂ）に示す例では、２枚の透明基板３２と１枚の不透明な中間基板５２とで情報表示用パネル２を構成し、２つの基板間空間に表示媒体を封入して構成している。言い換えると、片面表示式表示部パネル２−１、２−２の背面側の基板を１枚の中央基板５２で共用し、３枚の基板で両面表示可能な情報表示用パネル２を構成している。本例では、表示面となる基板２枚は透明とし、背面側基板は非透明としている。図２１（ａ）に示す例では、モノクロ表示の両面表示式情報表示用パネル２の例を示し、図２１（ｂ）に示す例では、Ｒ、Ｇ、Ｂカラーフィルターによるカラー表示の両面表示式情報表示用パネル２の例を示している。
【００５５】
＜両面表示式情報表示装置のさらに他の実施例とその書き換え動作について＞
図２２（ａ）、（ｂ）、図２３（ａ）、（ｂ）、図２４（ａ）〜（ｃ）および図２５（ａ）〜（ｃ）は、それぞれ、本発明の両面表示式情報表示装置のさらに他の実施例の構成とその書き換え操作を説明するための図である。図２２（ａ）、（ｂ）および図２３（ａ）、（ｂ）は、それぞれ、本発明の両面表示式情報表示装置のさらに他の例の実施例を示し、これらの実施例では、情報表示用パネル筐体３の側面の同一位置に２つの情報書き換えスイッチ７、８を並べて配置することで、書き換えモード判断手段を構成している。
【００５６】
図２２（ａ）、（ｂ）に示す例では、情報書き換えスイッチ７、８および書き換えモード判断手段を、情報表示用パネル筐体３の上側面に配置し、前後回転ページ捲り型の情報表示装置を構成している。また、図２３（ａ）、（ｂ）に示す例では、情報書き換えスイッチ７、８および書き換えモード判断手段を、情報表示用パネル筐体３の横側面に配置し、左右回転ページ捲り型の情報表示装置を構成している。
【００５７】
次に、一例として図２３（ａ）、（ｂ）に示す両面表示式情報表示装置の書き換え動作について説明する。
【００５８】
まず、図２４（ａ）〜（ｃ）によりページ送り動作を説明する。図２４（ａ）に示すように、第１ページ目を情報表示用パネル２の第１表示面２ａに表示した状態を考える。この状態から左回転捲りで情報表示用パネル２を回転すると、図２４（ｂ）に示すように、情報書き換えスイッチ７→情報書き換えスイッチ８の順で開放される。これによりページ送り書き換えと判断する。ページ送り書き換えと判断されたことで、情報表示用パネル２の第２表示面２ｂを第２ページ目の情報に書き換え、図２４（ｃ）に示すように、回転を終了した時点で第２ページ目を表示した第２表示面２ｂが現れる。
【００５９】
次に、図２５（ａ）〜（ｃ）によりページ戻し動作を説明する。図２５（ａ）に示すように、第２ページ目を情報表示用パネル２の第２表示面２ｂに表示した状態を考える。この状態から右回転捲りで情報表示用パネル２を回転すると、図２５（ｂ）に示すように、情報書き換えスイッチ８→情報書き換えスイッチ７の順で開放される。これによりページ戻し書き換えと判断する。ページ戻し書き換えと判断されたことで、情報表示用パネル２の第１表示面２ａを第１ページ目の情報に書き換え、図２５（ｃ）に示すように、回転を終了した時点で第１ページ目を表示した第１表示面２ａが現れる。
【産業上の利用可能性】
【００６０】
本発明の両面表示式情報表示装置は、電子書籍、電子マニュアル（取扱説明書）、電子新聞、電子ＰＯＰ（Point of Presence、Point of Purchase advertising）、電子広告、情報ボード、電子値札、電子棚札、電子楽譜、電子説明ボード（展示物の説明書き）などとして好適に利用することができ、さらに、情報表示用パネル表面保護のためにカバーケースとセットにし、情報表示用パネルサイズをＡ４サイズ以下にすることで、携帯性に優れた電子書籍、電子マニュアル（取扱説明者）、電子新聞、電子楽譜などにも好適に適用することができる。
【図面の簡単な説明】
【００６１】
【図１】（ａ）、（ｂ）はそれぞれ本発明の両面表示式情報表示装置の第１実施例の一例を説明するための図である。
【図２】（ａ）、（ｂ）はそれぞれ本発明の両面表示式情報表示装置の第１実施例の他の例を説明するための図である。
【図３】（ａ）〜（ｃ）はそれぞれ本発明の両面表示式情報表示装置の第２実施例を説明するための図である。
【図４】（ａ）〜（ｃ）はそれぞれ本発明の第２実施例に係る両面表示式情報表示装置のページ送り動作を説明するための図である。
【図５】（ａ）〜（ｃ）はそれぞれ本発明の第２実施例に係る両面表示式情報表示装置のページ戻り動作を説明するための図である。
【図６】（ａ）〜（ｃ）はそれぞれ本発明の両面表示式情報表示装置の第３実施例を説明するための図である。
【図７】（ａ）〜（ｃ）はそれぞれ本発明の第３実施例に係る両面表示式情報表示装置のページ送り動作を説明するための図である。
【図８】（ａ）〜（ｃ）はそれぞれ本発明の第３実施例に係る両面表示式情報表示装置のページ戻り動作を説明するための図である。
【図９】（ａ）〜（ｄ）はそれぞれ本発明の第３実施例に係るページ送り動作の判断におけるスイッチの動作を説明するための図である。
【図１０】（ａ）〜（ｄ）はそれぞれ本発明の第３実施例に係るページ戻りの動作の判断におけるスイッチの動作を説明するための図である。
【図１１】（ａ）、（ｂ）はそれぞれ本発明の第１実施例〜第３実施例の両面表示式情報表示装置の用途の一例を説明するための図である。
【図１２】（ａ）、（ｂ）はそれぞれ本発明の第１実施例〜第３実施例の両面表示式情報表示装置の用途の他の例を説明するための図である。
【図１３】（ａ）〜（ｃ）はそれぞれ本発明の両面表示式情報表示装置の第４実施例を説明するための図である。
【図１４】（ａ）〜（ｃ）はそれぞれ本発明の第４実施例の書き換え動作の一例を説明するための図である。
【図１５】（ａ）〜（ｃ）はそれぞれ本発明の第４実施例の書き換え動作の他の例を説明するための図である。
【図１６】（ａ）、（ｂ）はそれぞれ本発明に用いる表示部パネルの一具体例を説明するための図である。
【図１７】（ａ）、（ｂ）はそれぞれ本発明に用いる表示部パネルの他の具体例を説明するための図である。
【図１８】（ａ）、（ｂ）はそれぞれ本発明に用いる表示部パネルのさらに他の具体例を説明するための図である。
【図１９】（ａ）、（ｂ）はそれぞれ第４実施例に好適に用いられる表示部パネルの他の具体例を説明するための図である。
【図２０】（ａ）、（ｂ）はそれぞれ本発明において情報表示用パネルとして２枚の片面表示式表示部パネルを用いた例の一例を示す図である。
【図２１】（ａ）、（ｂ）はそれぞれ本発明において情報表示用パネルとして２枚の片面表示式表示部パネルを用いた例の他の例を示す図である。
【図２２】（ａ）、（ｂ）はそれぞれ本発明のさらに他の実施例に係る両面表示式情報表示装置の一例を説明するための図である。
【図２３】（ａ）、（ｂ）はそれぞれ本発明のさらに他の実施例に係る両面表示式情報表示装置の他の例を説明するための図である。
【図２４】（ａ）〜（ｃ）はそれぞれ図２３（ａ）、（ｂ）に示す両面表示式情報表示装置のページ送り動作を説明するための図である。
【図２５】（ａ）〜（ｃ）はそれぞれ図２３（ａ）、（ｂ）に示す両面表示式情報表示装置のページ戻し動作を説明するための図である。
【符号の説明】
【００６２】
１  両面表示式情報表示装置
２、２−１、２−２  情報表示用パネル
２ａ  第１表示面
２ｂ  第２表示面
３  情報表示用パネル筐体
５  回転軸
６  枠体
７、８、２１  情報書き換えスイッチ
９  メモリー収納部
１０  電池
１１  表示媒体駆動装置
１２−１、１２−２  押圧部材
１３  書き換えモード判断手段
２２  弾性部材
２３  回転ストッパー
３１、３２  透明基板
３３  表示媒体
３３Ｗ  白色表示媒体
３３Ｂ  黒色表示媒体
３３Ｒ  赤色表示媒体
３３Ｇ  緑色表示媒体
３３ＢＬ  青色表示媒体
３３Ｍ  マゼンタ色表示媒体
３３Ｃ  シアン色表示媒体
３３Ｙ  イエロー色表示媒体
３４  隔壁
３５、３６  透明電極
３７  セル
４１Ｒ  赤色カラーフィルター
４１Ｇ  緑色カラーフィルター
４１ＢＬ  青色カラーフィルター
５１  中央部材
５２  中央基板
【図１】
2008292839.tif 000003
【図２】
2008292839.tif 000004
【図３】
2008292839.tif 000005
【図４】
2008292839.tif 000006
【図５】
2008292839.tif 000007
【図６】
2008292839.tif 000008
【図７】
2008292839.tif 000009
【図８】
2008292839.tif 000010
【図９】
2008292839.tif 000011
【図１０】
2008292839.tif 000012
【図１１】
2008292839.tif 000013
【図１２】
2008292839.tif 000014
【図１３】
2008292839.tif 000015
【図１４】
2008292839.tif 000016
【図１５】
2008292839.tif 000017
【図１６】
2008292839.tif 000018
【図１７】
2008292839.tif 000019
【図１８】
2008292839.tif 000020
【図１９】
2008292839.tif 000021
【図２０】
2008292839.tif 000022
【図２１】
2008292839.tif 000023
【図２２】
2008292839.tif 000024
【図２３】
2008292839.tif 000025
【図２４】
2008292839.tif 000026
【図２５】
2008292839.tif 000027